(57)【特許請求の範囲】
【請求項１】
操作範囲が一端から他端までの操作範囲とされている摘みを有し、前記摘みの位置に対応する音響パラメータ値に設定可能な複数の操作子と、
前記摘みの位置に対応する音響パラメータ値が示される操作カーブが複数記憶されている記憶手段と、
前記複数の操作カーブの内の１つを選択する選択手段と、
前記操作子における摘みの操作を検出する検出手段と、
前記選択手段において前記複数の操作カーブの内の１つが選択された時に、選択された前記操作カーブに基づいて、前記操作子における摘みの位置と現在の設定値とが対応するように、前記摘みの位置を調整する調整手段と、
前記検出手段が前記操作子における摘みの操作を検出した際に、前記摘みの操作量に対応する音響パラメータ値の調整量を、前記選択手段において選択中の前記操作カーブに基づいて決定し、決定した調整量に基づいて音響パラメータ値を更新する更新手段と、
を備えることを特徴とする音響パラメータの制御装置。
【請求項２】
前記複数の操作カーブでは、前記操作子における摘みの位置を示すステップ数と、設定される音響パラメータ値の上限値および下限値とが同じ値とされることを特徴とする請求項１記載の音響パラメータの制御装置。
【請求項３】
前記操作子における摘みの設定基準位置を示すステップ数が、前記複数の操作カーブにおいてほぼ同じとされることを特徴とする請求項１記載の音響パラメータの制御装置。
【発明の詳細な説明】
【技術分野】
【０００１】
この発明は、音響パラメータ値を設定するハードウェア操作子の分解能を変更することができる音響パラメータの制御装置に関する。
【背景技術】
【０００２】
従来、多数のマイクロホンあるいは電気・電子楽器などから出力されるオーディオ信号のレベルや周波数特性を調整してミキシングし、パワーアンプに送り出すコンサートホール等で使用されるディジタルミキサが知られている。ディジタルミキサを操作するオペレータは、楽器の演奏音やボーカルの各オーディオ信号の音量や音色を、ディジタルミキサにおけるコンソールパネルに設けられた各種操作子を操作することにより、演奏を最もふさわしく表現していると思われる状態に調整している。ディジタルミキサは、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【０００３】
従来のディジタルミキサにおいては、音響信号の音量レベル調整を行うために利用される操作子としてフェーダが設けられている。フェーダは手動あるいは電動で所定の範囲内を自在にスライド操作することが可能とされ、フェーダの摘み部分を操作することにより音量レベルなどの所定の各制御値を設定することができるようになっている。そして、設定された各制御値に基づいて各種信号制御が行われている。フェーダにおいては摘み部分をスライド操作することのできる範囲が決まっており、このフェーダの摘み部分を操作することが可能な範囲内の全てにわたって例えば＋１０ｄＢ〜−∞ｄＢのように予め所定の設定値が対応付けられており、フェーダの操作範囲における分解能は固定されている。
【先行技術文献】
【特許文献】
【０００４】
【特許文献１】特開２００５−２１０１６３号公報
【発明の概要】
【発明が解決しようとする課題】
【０００５】
従来のディジタルミキサを使用する現場によって、フェーダのどの操作範囲のあたりに高い分解能を必要とするかが異なっている。例えば、音楽制作の現場においては、入力されるソースは或る程度のレベル合わせができており、フェーダを使って行う調整は詳細なレベルあわせとなる。そのためフェーダの摘みは０ｄＢ付近で操作されることが多く、０ｄＢ付近の操作範囲において高い分解能が必要とされる。また、コンサートやミュージカルの現場では、０ｄＢ付近で音量を調整したり、音量を−∞ｄＢにしぼりきったり、フェーダの摘みを広い操作範囲においてスライドさせて使用することになる。その中でも、音量をしぼりきる場合においては滑らかに減衰させることが重視されることから、−∞ｄＢ付近の操作範囲において高い分解能が必要とされる。
いずれの場合においても、フェーダの分解能は固定されていることから、従来は細かい調整が必要となる操作範囲では、ユーザが手動でフェーダを細かく操作することにより微調整する必要があり、操作に手間がかかると云う問題点があった。
【０００６】
そこで、本発明は、どのような現場においても、現場にあわせた高い操作性を実現できる音響パラメータの制御装置を提供することを目的としている。
【課題を解決するための手段】
【０００７】
上記目的を達成するために、本発明の音響パラメータの制御装置は、操作範囲が一端から他端までの操作範囲とされている摘みを有し、前記摘みの位置に対応する音響パラメータ値に設定可能な複数の操作子と、前記摘みの位置に対応する音響パラメータ値が示される操作カーブが複数記憶されている記憶手段と、前記複数の操作カーブの内の１つを選択する選択手段と、前記操作子における摘みの操作を検出する検出手段と、前記選択手段において前記複数の操作カーブの内の１つが選択された時に、選択された前記操作カーブに基づいて、前記操作子における摘みの位置と現在の設定値とが対応するように、前記摘みの位置を調整する調整手段と、前記検出手段が前記操作子における摘みの操作を検出した際に、前記摘みの操作量に対応する音響パラメータ値の調整量を、前記選択手段において選択中の前記操作カーブに基づいて決定し、決定した調整量に基づいて音響パラメータ値を更新する更新手段とを備えることを最も主要な特徴としている。
【発明の効果】
【０００８】
本発明によれば、複数の操作カーブの内の１つを選択して、操作子における摘みの操作を検出した際に、摘みの操作量に対応する音響パラメータ値の調整量を操作カーブに基づいて決定するようにしたので、どのような現場においても、現場にあわせた高い操作性を実現することができる。
【図面の簡単な説明】
【０００９】
【図１】本発明の実施例の音響パラメータの制御装置が適用されるディジタルミキサの構成を示すブロック図である。
【図２】本発明にかかる音響パラメータの制御装置が適用されるディジタルミキサの等価的な機能ブロック図である。
【図３】本発明にかかる音響パラメータの制御装置が適用されるディジタルミキサのコンソールパネルの構成を示す図である。
【図４】本発明にかかる音響パラメータの制御装置が適用されるディジタルミキサのコンソールパネルにおけるＣＨフェーダを拡大して示す図である。
【図５】本発明にかかる音響パラメータの制御装置に設定されるパラメータテーブルの一例を示す図である。
【図６】本発明にかかる音響パラメータの制御装置において設定されるフェーダカーブの一例を示す図である。
【図７】本発明にかかる音響パラメータの制御装置において設定されるフェーダカーブの他の例を示す図である。
【図８】本発明にかかる音響パラメータの制御装置において設定されるフェーダカーブのさらに他の例を示す図である。
【図９】本発明にかかる音響パラメータの制御装置において実行されるフェーダカーブの設定処理のフローチャートである。
【図１０】本発明にかかる音響パラメータの制御装置において実行されるフェーダの操作処理のフローチャートである。
【発明を実施するための形態】
【００１０】
本発明の実施例の音響パラメータの制御装置が適用されるディジタルミキサの構成を示すブロック図を図１に示す。
図１に示すディジタルミキサ１は、ディジタルミキサ１の全体の動作を制御すると共に、コンソールパネルに設けられているフェーダ等の各種操作子の操作に応じた制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ１３を介してディジタルミキサ１に接続される。
【００１１】
表示器１４は、各チャンネルのパラメータを設定する設定画面等を表示するタッチパネルとされた液晶表示器とされている。電動フェーダ１５は、入力チャンネルの信号あるいは出力チャンネルの音響信号のレベルを調整するフェーダであり、手動および電動によりレベル調整することができる。操作子１６は、パネルに設けられているスイッチやノブ等の各種操作子や、タッチパネルとされている表示器１４のタッチスイッチ等である。ＣＰＵ１０は、操作子１６を走査することによってスイッチやノブあるいはタッチパネルのイベントを検出して、イベントのあった操作子１６に対応するイベントを検出している。ディジタルミキサ１における全ての入力と全ての出力は波形Ｉ／Ｏ（波形データインタフェース）１７により行われる。この波形Ｉ／Ｏ１７は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【００１２】
また、信号処理部（ＤＳＰ）１８は多数のＤＳＰ（Digital Signal Processor）を用いて構成されており、ＣＰＵ１０の制御の元でミキシング処理やエフェクト処理などを行っている。ＲＡＭ１２には、このミキシング処理やエフェクト処理を制御するための各種パラメータの、信号処理部１８に設定されている現在値を記憶しているカレントメモリの領域がある。ＣＰＵ１０は、電動フェーダ１５や操作子１６の操作に応じてＲＡＭ１２のカレントメモリの領域に記憶しているパラメータの現在値を変更する。当該変更が行われた時には、変更後の現在値を信号処理部１８へ新たに設定することによって、信号処理部１８が行うミキシング処理やエフェクト処理の係数やアルゴリズムを制御する。なお、ディジタルミキサ１の各部はコントロールバス、アドレスバスおよびデータバスからなる通信バス１９により相互にデータの授受を行っている。
【００１３】
次に、本発明にかかる図１に示す構成のディジタルミキサ１における信号処理部１８および波形Ｉ／Ｏ１７の等価的な機能ブロック図を図２に示す。
図２において、複数のアナログ入力ポート（Ａ入力）２０に入力された複数のアナログ信号は、波形Ｉ／Ｏ１７に内蔵されているＡＤ変換器によりディジタル信号に変換されて入力パッチ２２に入力される。また、複数のディジタル入力ポート（Ｄ入力）２１に入力された複数のディジタル信号は、そのまま入力パッチ２２に入力される。入力パッチ２２では、信号の入力元である複数の入力ポートの何れか１つの入力ポートを、例えば４８チャンネルとされる複数の入力ｃｈ部２３の各入力チャンネル毎に選択的にパッチ（結線）することができ、各入力チャンネルには、入力パッチ２２でパッチされた入力ポートからの信号が供給される。
【００１４】
入力ｃｈ部２３における各入力チャンネルには、リミッタ、コンプレッサ、イコライザやディレイ等の信号処理部と、フェーダ２３ａと、ＣＨオンスイッチと、ミキシング（ＭＩＸ）バスへの送り出しレベルを調整するセンド調整部が備えられており、これらの入力チャンネルにおいて、周波数バランスやレベル制御およびＭＩＸバスへの送出レベルが調整される。入力ｃｈ部２３から出力される４８チャンネルのディジタル信号は、それぞれＭＩＸ１〜２４の２４本のＭＩＸバス２４の１ないし複数に選択的に出力される。ＭＩＸバス２４においては、２４本の各バスにおいて、４８入力チャンネルのうちの任意の入力チャンネルから選択的に入力された１ないし複数のディジタル信号がミキシングされて、合計２４チャンネルのミキシング出力がＭＩＸ出力ｃｈ部２５に出力される。これにより、２４通りにミキシングされた２４チャンネルのミキシング出力を得ることができる。
【００１５】
ＭＩＸ出力ｃｈ部２５における各出力チャンネルには、リミッタ、コンプレッサ、イコライザ、フェーダ２５ａが備えられており、これらの出力チャンネルにおいて、周波数バランスやレベル調整および出力パッチ２６へ送出されるレベルが制御される。出力パッチ２６では、信号の入力元であるＭＩＸ出力ｃｈ部２５からの２４チャンネルのミキシング信号の何れか１つの出力チャンネルを、アナログ出力ポート部（Ａ出力）２７やディジタル出力ポート部（Ｄ出力）２８の各出力ポート毎に選択的にパッチ（結線）することができ、各出力ポートには、出力パッチ２６でパッチされた出力チャンネルからの信号が供給される。
また、複数のアナログ出力ポートを備えるアナログ出力ポート部（Ａ出力）２７へ供給されたディジタル出力信号は、波形Ｉ／Ｏ１７に内蔵されているＤＡ変換器によりアナログ出力信号に変換されてアナログ出力ポートから出力される。そして、アナログ出力ポート部（Ａ出力）２７から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）２８から出力されるディジタルオーディオ信号は、レコーダや外部接続されたＤＡＴ等に供給されてディジタル録音することができるようにされている。
【００１６】
本発明にかかるディジタルミキサ１におけるコンソールパネルの構成を図３に示す。
図３に示すようにコンソールパネルには、紙面の右側の上部にタッチパネルとされている表示器１４が設けられ、表示器１４の下に割当型ストリップ部４２が設けられている。また、パネルの左半分の上側にはチャンネルストリップ部（上段）４０が設けられ、その下側にチャンネルストリップ部（下段）４１が設けられている。チャンネルストリップ部（上段）４０とチャンネルストリップ部（下段）４１とは、例えばそれぞれ１２本ずつチャンネルストリップが設けられており、図示しないレイヤースイッチで選択された入力チャンネルが１２チャンネルずつ割り当てられる。チャンネルストリップ部（上段）４０とチャンネルストリップ部（下段）４１における各チャンネルストリップには、当該チャンネルストリップに割り当てられた入力チャンネルのボリュームを設定できるフェーダ４３と、チャンネル番号やチャンネル名が表示される表示部と、その入力チャンネルを選択するＳＥＬスイッチおよびチャンネルをオン／オフするＣＨオンスイッチとが設けられている。割当型ストリップ部４２は、横一列に並べて配置された主要なパラメータを制御することのできる１６本のストリップ部からなり、割当型ストリップ部４２には、入力チャンネルが１６チャンネルを割当単位として割り当てることができると共に、チャンネルのグループを割り当てることができるようにされている。割当型ストリップ部４２における各ストリップ部には割り当てられた入力チャンネルあるいはグループのボリュームを設定できるフェーダ４３と、チャンネル／グループ番号やチャンネル／グループ名が表示される表示部と、割り当てられたチャンネルあるいはグループを選択するＳＥＬスイッチおよびオン／オフするＯＮスイッチとパラメータを設定するノブとが設けられている。
【００１７】
フェーダ４３は本発明にかかる音響パラメータの制御装置とされており、図１に示すディジタルミキサ１の電動フェーダ１５により実現されている。チャンネルストリップ部（上段）４０、チャンネルストリップ部（下段）４１、割当型ストリップ部４２に入力チャンネルが割り当てられた場合、各チャンネルストリップにおけるフェーダ４３は入力ｃｈ部２３におけるフェーダ２３ａとして機能し、出力チャンネルが割り当てられた場合、各チャンネルストリップにおけるフェーダ４３は出力ｃｈ部２５におけるフェーダ２５ａとして機能する。
このフェーダ４３のコンソールパネル上の構成を拡大して図４に示す。図４に示すように、フェーダ４３はフェーダ摘み４３ａを備えており、フェーダ摘み４３ａを把持して縦方向に設けられている溝内を上下にスライド可能とされている。フェーダ摘み４３ａの操作範囲は溝の上端から下端までの操作範囲とされている。また、溝に沿ってフェーダ摘み４３ａの操作位置を示す目盛り４３ｂが設けられており、例えば目盛り４３ｂの上限は＋１０ｄＢとされ、＋５ｄＢ、０ｄＢ、−５ｄＢ、−１０ｄＢ、−２０ｄＢ、−３０ｄＢ、−４０ｄｂ、−５８ｄＢ、−６０ｄＢおよび下限とされる−∞ｄＢの目盛り４３ｂが付されている。フェーダ４３において、フェーダ摘み４３ａをオペレータが把持してスライドさせると、スライドさせたフェーダ摘み４３ａの位置に対応する音響パラメータ値に設定することができる。
【００１８】
本発明にかかる音響パラメータの制御装置においては、フェーダ摘み４３ａの操作位置と、当該フェーダ摘み４３ａの操作（位置）から決まる音響パラメータ値（音響パラメータの設定値）との対応関係を操作カーブ（以下、「フェーダカーブ」という）としてあらわしている。このフェーダカーブはパラメータテーブルあるいは関数式として複数種類のフェーダカーブがフラッシュメモリ１１に記憶されている。
図５にフェーダ摘み４３ａの操作範囲を１０２４ステップに分割した際の各ステップの位置（フェーダ摘み４３ａの位置）と設定値との対応関係をパラメータテーブルで表したフェーダカーブの一例を示す。このフェーダカーブでは、ステップ１の設定レベルはパラメータ値を絞りきった−∞ｄＢとされ、ステップ１００の設定レベルは約−６４．８０ｄＢ、ステップ２００の設定レベルは約−４４．８０ｄＢ、ステップ３００の設定レベルは約−３２．８０ｄＢ、ステップ４００の設定レベルは約−２２．８０ｄＢ、ステップ５００の設定レベルは約−１６．２０ｄＢ、ステップ６００の設定レベルは約−１１．２０ｄＢ、ステップ７００の設定レベルは約−６．２０ｄＢ、ステップ８００の設定レベルは約−１．２０ｄＢとされ、ステップ８２４の設定レベルが約±０．００ｄＢのフェーダ摘み４３ａの設定基準位置を示すノミナル値とされ、ステップ１０２４の設定レベルはパラメータ値を上げきった約＋１０．００ｄＢの最大レベルとされる。このパラメータテーブルのフェーダカーブを用いて、スライドさせたフェーダ摘み４３ａの位置に対応する音響パラメータ値を決定することができる。なお、図５では省略しているが、フェーダ摘み４３ａが移動できる全ステップ（フェーダ摘み４３ａの操作範囲内の全ステップ）にわたって、１ステップ毎の設定値がパラメータテーブルに規定されている。
【００１９】
ここで、図５に示すパラメータテーブルのフェーダカーブを表したグラフを図６に示す。図６に示すフェーダカーブは、平均的、一般的、基準となるデフォルトの図４に示す目盛り４３ｂの通りに分解能を分布させたフェーダカーブ（多くのディジタルミキサで採用されている分解能の分布）とされている。図６において、縦軸はステップで表したフェーダ摘み４３ａの位置とされ、横軸はフェーダ４３の設定値［ｄＢ］とされている。図６のグラフを参照すると、ステップ１０２４〜約ステップ５００ステップ付近までの位置に対する設定値の分解能は高くされているが、約ステップ５００以下となるにつれて分解能は次第に低くなっていき約ステップ１００以下の位置に対する設定値の分解能は低くなっている。すなわち、設定値が＋１０〜約−１５ｄＢに対するフェーダ摘み４３ａの位置に対する設定値の分解能が高くされて、０ｄＢ付近において詳細なレベルあわせを容易に行うことができる。
【００２０】
ところで、音楽制作の現場においては、波形Ｉ／Ｏ１７に入力されるソースは或る程度のレベル合わせができており、フェーダ４３を使って行う調整は詳細なレベルあわせとなる。そのためフェーダ４３の摘みは０ｄＢ付近で操作されることが多く、０ｄＢ付近の操作範囲において高い分解能が必要とされる。また、コンサートやミュージカルの現場では、０ｄＢ付近で音量を調整したり、音量を−∞ｄＢにしぼりきったり、フェーダの摘みを広い操作範囲においてスライドさせて使用することになる。その中でも、音量をしぼりきる場合においては滑らかに減衰させることが重視されることから、−∞ｄＢ付近の操作範囲において高い分解能が必要とされる。
そこで、本発明にかかる音響パラメータの制御装置においては、フェーダカーブは複数種類のフェーダカーブが用意されてフラッシュメモリ１１に記憶されており、０ｄＢ付近の操作範囲において高い分解能とされたフェーダカーブや−∞ｄＢ付近の操作範囲において高い分解能とされたフェーダカーブが用意されている。オペレータは、コンソールパネル上に設けられた図示しない選択スイッチを操作して、複数種類のフェーダカーブの内のいずれかのフェーダカーブを選択して使用することができる。
【００２１】
図６に示すフェーダカーブとは異なるフェーダカーブのグラフを図７に示す。図７に示すフェーダカーブは、ノミナル値（０ｄＢ）付近の設定値の調整のために、該当するフェーダ摘みの操作範囲を、図６に示す一般的なフェーダカーブよりも広く確保したフェーダカーブとされている。図７に示すフェーダカーブでは、ステップ１０２４〜約ステップ４５０付近までのフェーダ位置の分解能はかなり高くされているが、約ステップ３５０以下となるにつれてフェーダ位置の分解能は次第に低くなっていき約ステップ１００以下のフェーダ位置の分解能は非常に低くなっている。すなわち、設定値が＋１０〜約−１０ｄＢの０ｄＢ付近のフェーダ４３の操作範囲において高い分解能とされて、０ｄＢ付近において詳細なレベルあわせをさらに容易に行うことができる。ただし、ノミナル値（０ｄＢ）のフェーダ位置は図６に示すフェーダカーブと同様にステップ８２４とされていると共に、設定値の上限値および下限値も＋１０ｄＢ〜−∞ｄＢと同じとされている。
さらに、図６に示すフェーダカーブとはさらに異なるフェーダカーブのグラフを図８に示す。図８に示すフェーダカーブは、下限位置（−∞）付近の設定値の調整のために、該当するフェーダ摘みの操作範囲を、図６に示す一般的なフェーダカーブよりも広く確保したフェーダカーブとされている。図８に示すグラフのフェーダカーブでは、ステップ１０２４〜約ステップ５００付近までのフェーダ位置の分解能が低くされているが、約ステップ４００以下となるにつれてフェーダ位置の分解能が次第に高くされている。すなわち、設定値が約−８０ｄＢ以下のフェーダ４３を絞った操作範囲において高い分解能とされて、音量をしぼりきる場合に滑らかに減衰させることができるようになる。ただし、ノミナル値（０ｄＢ）のフェーダ位置は図６に示すフェーダカーブと同様にステップ８２４とされていると共に、設定値の上限値および下限値も＋１０ｄＢ〜−∞ｄＢと同じとされている。
【００２２】
本発明にかかる音響パラメータの制御装置においては、図３に示すチャンネルストリップ部（上段）４０、チャンネルストリップ部（下段）４１、割当型ストリップ部４２毎に所望のフェーダカーブをフェーダ４３に割り当てることができる。また、全てのストリップ部におけるフェーダ４３に共通するフェーダカーブを一括して割り当てたり、フェーダ４３毎に異なるフェーダカーブを割り当てることもできるようにされている。そして、新たなフェーダカーブが選択されたときに本発明にかかる音響パラメータの制御装置において実行されるフェーダカーブの設定処理のフローチャートを図９に示す。なお、フェーダカーブの選択（変更指示）は表示器１４に表示される図示しないフェーダカーブ選択画面で行う。
【００２３】
新たなフェーダカーブが選択されて、図９に示すフェーダカーブの設定処理がスタートされると、ステップＳ１０にて選択されたフェーダカーブのパラメータテーブルあるいは関数式をフラッシュメモリ１１から読み出して、フェーダ４３の分解能を決めるフェーダカーブとして使用するようＲＡＭ１２上のカレントメモリに設定する。次いで、ステップＳ１１にて現在の設定値に該当するフェーダ摘み４３ａの位置を新たなフェーダカーブで確認し、現在の設定値の位置へフェーダ摘み４３ａを自動的に移動させる。ステップＳ１１の処理が終了するとフェーダカーブの設定処理は終了する。
なお、ステップＳ１１にて移動するフェーダ摘み４３ａは、新たにフェーダカーブが割り当てられたストリップ部におけるフェーダ４３に限られることはいうまでもない。例えば、一括してチャンネルストリップ部（上段）４０、チャンネルストリップ部（下段）４１、割当型ストリップ部４２に新たなフェーダカーブが割り当てられた場合は、これらのストリップ部の全てのフェーダ４３におけるフェーダ摘み４３ａが新たなフェーダカーブに応じて移動することになる。フェーダカーブの設定処理は、ストリップ部４０，４１，４２に属する全てのフェーダ４３が実行対象とされる。
【００２４】
次に、フェーダ４３が操作された際に起動するフェーダの操作処理のフローチャートを図１０に示す。
いずれかのフェーダ４３が操作されると、図１０に示すフェーダの操作処理がスタートされ、ステップＳ２０にて操作されたフェーダ４３に割り当てられているカレントメモリ上のフェーダカーブを参照して、操作後のフェーダ摘み４３ａの位置に該当する設定値が確認される。次いで、確認された設定値を操作されたフェーダ４３にアサインされているチャンネルの新たな音響パラメータ値としてステップＳ２１にてセットする。この場合、ステップＳ２０で確認された設定値を、今回の操作対象であるフェーダ４３にアサインされているチャンネルの音響パラメータの新たな現在値とし、当該確認された設定値を新たな現在値としてカレントメモリ中の該当する音響パラメータ値へ上書きし、当該上書き後のカレントメモリの音響パラメータ値を信号処理部（ＤＳＰ）１８へ反映させる。ステップＳ２１の処理が終了するとフェーダの操作処理は終了する。
なお、ディジタルミキサ１においては、コンソールパネルに設けられているフェーダ４３、ノブやスイッチ等の操作子により設定されたチャンネル毎の信号処理用のパラメータおよび割り当てられたフェーダカーブからなるパラメータセットはカレントメモリに格納される。このカレントメモリ上のパラメータセットを、シーンとしてシーンメモリにストアすることができる。シーンの各々にはシーン番号が付与されてストアされ、シーン番号を指定してリコール操作することにより、指定されたシーン番号のシーンが読み出され、そのシーンに応じたフェーダカーブを含む設定状態がディジタルミキサ１で再現されるようになる。これにより、一度設定した会議室、宴会場、ミニシアターや多目的ホールまでの様々なシーンを再現することができるようになる。
【産業上の利用可能性】
【００２５】
以上説明した本発明において、フェーダカーブは設定値そのものを記述する絶対値表記に限らず、ステップ位置と操作量に応じた調整量（パラメータ値の増減分の値）との対応関係を規定している相対値表記であってもよい。また、フェーダはスライド型に限らず、回転型であってもよく、設定値の上限と下限との操作範囲が限られている操作子であればよい。
また、新たなフェーダカーブが選択された時に、現在の設定値に該当するフェーダ摘みの位置を新たなフェーダカーブで確認し、現在の設定値の位置へフェーダ摘みを自動的に移動させるようにしたが、これに替えて、現在のフェーダ摘みの位置に該当する設定値を新たなフェーダカーブで確認し、現在のフェーダ摘みの位置の設定値に自動的に変更するようにしても良い。
なお、ディジタルミキサにおけるチャンネルストリップ部には、入力チャンネルや出力チャンネルを割り当てることができる。また、割当型ストリップ部には入力チャンネルやグループを割り当てられるが、出力チャンネルを割り当てるようにしても良い。出力チャンネルを、チャンネルストリップ部あるいは割当型ストリップ部に割り当てた場合は、入力チャンネルに行えた操作と同様の操作を出力チャンネルに対して行えるようになる。
また、チャンネルストリップ部は１２本ずつのチャンネルストリップを２段に設けていたが、任意の本数のチャンネルストリップを２段に設けるようにしても良い。また、割当型ストリップ部に設けられているストリップ部の本数も任意の本数とすることができる。
【符号の説明】
【００２６】
１  ディジタルミキサ、１０  ＣＰＵ、１１  フラッシュメモリ、１２  ＲＡＭ、１３  その他Ｉ／Ｏ、１４  表示器、１５  電動フェーダ、１６  操作子、１７  波形Ｉ／Ｏ、１８  信号処理部、１９  通信バス、２０  Ａ入力、２１  Ｄ入力、２２  入力パッチ、２３  入力ｃｈ部、２３ａ  フェーダ、２４  ＭＩＸバス、２５  ＭＩＸ出力ｃｈ部、２５ａ  フェーダ、２６  出力パッチ、２７  Ａ出力、２８  Ｄ出力、４０  チャンネルストリップ部（上段）、４１  チャンネルストリップ部（下段）、４２  割当型ストリップ部、４３  フェーダ、４３ａ  フェーダ摘み、４３ｂ  目盛り
【図１】
0005633140.tif 000002
【図２】
0005633140.tif 000003
【図３】
0005633140.tif 000004
【図４】
0005633140.tif 000005
【図５】
0005633140.tif 000006
【図６】
0005633140.tif 000007
【図７】
0005633140.tif 000008
【図８】
0005633140.tif 000009
【図９】
0005633140.tif 000010
【図１０】
0005633140.tif 000011